(57)【要約】      （修正有）【課題】衣類をクリップで挟んで吊り下げる場合においてクリップから衣類が滑り落ちてしまう可能性を低減するクリップ付きハンガーを提供する。【解決手段】クリップ付きハンガー１００は、衣類を挟持するクリップ１１０と、吊り下げフック１２０と、本体部１３０とを含む。クリップは、支点１１３を回動中心として表側挟持片１１２が回動することにより接近および離隔することができる表側挟持片および裏側挟持片１１４と、表側挟持片と裏側挟持片とが衣類を挟持した状態を保持する保持部材１１６とを含む。裏側挟持片は、衣類に接する面に、裏側挟持片における直線部１１４Ｓの端部から連接された返し部１１４Ｋを備える。【選択図】図１
0003234712.tif 000002
【実用新案登録請求の範囲】
【請求項１】
衣類をクリップで挟んで吊り下げるクリップ付きハンガーであって、
少なくとも左右１個ずつ設けられ、前記衣類を挟持するクリップと、
係止棒に係止される吊り下げフックと、
左右１個ずつのクリップが取付けられる左右方向に長い棒状物であって、左右方向の略中央で前記吊り下げフックが連結され、前記略中央よりも左右側に少なくとも１個ずつ前記クリップが設けられた本体部とを含み、
各前記クリップは、
一端が前記本体部と連結されて、前記一端を支点として前記一端とは逆側の他端が互いに接近可能および離隔可能に形成された、表側の挟持片および裏側の挟持片と、
前記挟持片が前記衣類を挟持した状態を保持する保持部材とを含み、
前記表側の挟持片および前記裏側の挟持片の少なくともいずれかの挟持片における前記衣類に接する面に、前記挟持片の前記他端から連接された返し部を備えることを特徴とする、クリップ付きハンガー。
【考案の詳細な説明】
【技術分野】
【０００１】
本考案は、衣類等（以下において単に衣類と記載する場合がある）をクリップで挟んで吊り下げるクリップ付きハンガーに関するものであって、特に、レギンス等の下半身用衣類であって比較的表面が滑りやすい（ツルツルしている）衣類および／または比較的重量がある衣類であってもクリップから滑り落ちて（「滑り落ちて」には「ずれ落ちて」を含むものとする、以下においてこのかっこ書きを記載しない場合がある）しまう可能性を低減することのできるクリップ付きハンガーに関する。なお、衣類にナイロンピンを打つ等により滑り落ちてしまう可能性を低減する方法については、衣類を傷つけることになるために本考案においては除外している。この観点から、本考案に係るクリップ付きハンガーにより（クリップから滑り落ちてしまう可能性を低減することができるとともに）衣類に傷がつくという欠点がないという作用効果については、以下において説明していない。
【背景技術】
【０００２】
たとえば衣料品を販売する店舗等において、衣類、特にレギンスを含むパンツまたはスカート等のボトムス（下半身用衣類）用のハンガーとして、このような衣類をクリップで挟んで吊り下げるクリップ付きハンガーが使用されている。このようなクリップ付きハンガーは、一般的には、たとえば、下半身用衣類のウエスト部または裾部を挟持するための左右１個ずつ設けられたクリップと、丸棒等の係止棒に係止するための略逆Ｕ字形状を備えた吊り下げフックと、左右１個ずつのクリップが取付けられる左右方向に長い棒状物であって左右方向の略中央で吊り下げフックが連結された本体部とを有し、クリップの衣類に接する面には、すべり止め部材が設けられているものが多い。
【０００３】
従来、衣類を挟むクリップのすべり止め部材としては、ウレタンが広く用いられ、金属製や硬質プラスチック製などのクリップ本体に、ウレタン製のすべり止め部材が、接着剤や両面テープで貼り付けられていたものが多かったが、接着剤および両面テープは繰り返し使用しているうちに剥がれやすくなることに加えて、すべり止め部材の接着剤および両面テープによる接着は、従来において手作業で行われており手間がかかるという問題点があった。
【０００４】
そこで、実用新案登録第３２３００６３号公報（特許文献１）は、このような問題点を解決するクリップ付きハンガーを開示する。この特許文献１に開示されたクリップ付きハンガーは、衣類をクリップで挟んで吊り下げるクリップ付きハンガーにおいて、前記クリップは、前記衣類を挟む機構を有するクリップ本体と、前記クリップ本体の衣類に接する面に設けられたすべり止め部材とを有し、前記クリップ本体と前記すべり止め部材とが、結合層を介して一体に成形されていることを特徴とする。さらに、この特許文献１においては、前記すべり止め部材がプラスチック製であったり、前記クリップ本体と前記すべり止め部材とが、二色成形により一体成形されていたり、前記すべり止め部材は、前記衣類に接する表面に、すべり止め効果を有する微細な凹凸が設けられていたり、前記微細な凹凸は、シボ加工により形成されていたりするようにすることも好ましいことが開示されている。
【先行技術文献】
【特許文献】
【０００５】
【特許文献１】実用新案登録第３２３００６３号公報
【考案の概要】
【考案が解決しようとする課題】
【０００６】
しかしながら、特許文献１に開示されたクリップ付きハンガーにおいて、クリップ本体の衣類に接する面に設けられたすべり止め部材として結合層を介して一体に成形されているために（特にすべり止め部材がプラスチック製であったりクリップ本体とすべり止め部材とが二色成形により一体成形されていたりすることにより）手間をかけずに確実にクリップ本体にすべり止め部材を取り付けることができるとしても、そのすべり止め部材の衣類に接する表面にすべり止め効果を有する微細な凹凸（一例ではあるがシボ加工）が設けられているだけでは、比較的表面が滑りやすい（ツルツルしている）衣類および／または比較的重量がある衣類では容易に滑り落ちてしまう可能性があるという問題点に容易に想到できる。
【０００７】
このことは、特許文献１以外の従来のクリップ付きハンガーでも同じであって（特許文献１に開示されたようにクリップ本体とすべり止め部材とが結合層を介して一体に成形されているか否かに関わらず）、合成樹脂製のクリップ本体の衣類に接する面にすべり止め効果を有する微細な凹凸または水平方向に沿って設けられた複数の凸状の線等では、比較的表面が滑りやすい（ツルツルしている）衣類および／または比較的重量がある衣類では容易に滑り落ちてしまう可能性があるという問題点に容易に想到できる。
【０００８】
本考案は、従来技術の上述の問題点に鑑みて開発されたものであり、その目的とするところは、衣類をクリップで挟んで吊り下げるクリップ付きハンガーであって、比較的表面が滑りやすい（ツルツルしている）衣類および／または比較的重量がある衣類では容易に滑り落ちてしまう可能性を低減させることのできるクリップ付きハンガーを提供することである。
【課題を解決するための手段】
【０００９】
上記目的を達成するため、本考案に係るクリップ付きハンガーは以下の技術的手段を講じている。
すなわち、本考案に係るクリップ付きハンガーは、衣類をクリップで挟んで吊り下げるクリップ付きハンガーであって、少なくとも左右１個ずつ設けられ、前記衣類を挟持するクリップと、係止棒に係止される吊り下げフックと、左右１個ずつのクリップが取付けられる左右方向に長い棒状物であって、左右方向の略中央で前記吊り下げフックが連結され、前記略中央よりも左右側に少なくとも１個ずつ前記クリップが設けられた本体部とを含み、各前記クリップは、一端が前記本体部と連結されて、前記一端を支点として前記一端とは逆側の他端が互いに接近可能および離隔可能に形成された、表側の挟持片および裏側の挟持片と、前記挟持片が前記衣類を挟持した状態を保持する保持部材とを含み、前記表側の挟持片および前記裏側の挟持片の少なくともいずれかの挟持片における前記衣類に接する面に、前記挟持片の前記他端から連接された返し部を備えることを特徴とする。
【００１０】
好ましくは、前記返し部は、途中に屈曲部を備えるように構成することができる。
さらに好ましくは、前記返し部は、端部が波線状に破断されているように構成することができる。
さらに好ましくは、前記表側の挟持片および前記裏側の挟持片のいずれかの挟持片における前記衣類に接する面に、水平方向に沿って複数の凸状の線状体が設けられているように構成することができる。
【００１１】
さらに好ましくは、前記保持部材は、２個の挟持片が互いに接近したクリップ挟持状態において前記２個の挟持片を挟み込む略逆Ｕ字形状を備え、前記略逆Ｕ字形状の端部に係合突起が設けられるとともに、前記挟持片の前記衣類の接する面とは逆面に、前記クリップ挟持状態において前記係合突起が係合する係合溝を備えるように構成することができる。
【考案の効果】
【００１２】
本考案に係るクリップ付きハンガーによると、衣類をクリップで挟んで吊り下げるクリップ付きハンガーにおいて、比較的表面が滑りやすい（ツルツルしている）衣類および／または比較的重量がある衣類であってもクリップから滑り落ちてしまう可能性を低減することができる。
【図面の簡単な説明】
【００１３】
【図１】本考案の実施の形態に係るクリップ付きハンガー１００の（Ａ）衣類非挟持状態、（Ｂ）遷移状態、（Ｃ）衣類挟持状態、をそれぞれ示す全体斜視図である。
【図２】本考案の実施の形態に係るクリップ付きハンガー１００の（Ａ）衣類非挟持状態（保持部材１１６の単独図を含む）、（Ｂ）遷移状態、（Ｃ）衣類挟持状態、（Ｄ）（Ｃ）に示す領域２Ｄを拡大した状態、をそれぞれ示す側面図である。
【図３】図１（Ａ）〜図１（Ｃ）に対応する図であってクリップ１１０を前面から見た拡大斜視図である。
【図４】図３（Ａ）〜図３（Ｃ）に対応する図であってクリップ１１０を背面から見た拡大斜視図である。
【考案を実施するための形態】
【００１４】
以下、本考案の実施の形態に係るクリップ付きハンガー１００（以下において単にハンガー１００と記載する場合がある）について、図１〜図４に基づいて詳しく説明する。ここで、このクリップ付きハンガー１００は、衣類をクリップで挟んで吊り下げるクリップ付きハンガーであって、特に、レギンス等の下半身用衣類であって比較的表面が滑りやすい（ツルツルしている）衣類および／または比較的重量がある衣類を挟んで吊り下げてもクリップから滑り落ちてしまう可能性を低減することのできる点で好ましいが、挟んで吊り下げる衣類はこのような下半身用衣類に限定されるものではない。
【００１５】
ここで、図１は本考案の実施の形態に係るクリップ付きハンガー１００の全体を示す斜視図であって、図２はこのクリップ付きハンガーの側面図であって、図３は図１におけるクリップ１１０の拡大図（前面から見たクリップ１１０の斜視図）であって、図４は図３において背面から見たクリップ１１０の斜視図である。これらの４図において共通するのは、各図に付した（Ａ）（Ｂ）（Ｃ）が同じ状態を示すことである。より詳しくは、各図（Ａ）がクリップ１１０が衣類を挟持していない（衣類）非挟持状態を示し、各図（Ｃ）がクリップ１１０が衣類を挟持している（衣類）挟持状態を示し、各図（Ｂ）が各図（Ａ）に示す（衣類）非挟持状態と各図（Ｃ）に示す（衣類）挟持状態との間の遷移状態を示す。また、上下方向、左右方向および前後方向（前面／背面）は図示した通りである。
【００１６】
これらの図に示すように、この本実施の形態に係るクリップ付きハンガー１００は以下の特徴を備える。このクリップ付きハンガー１００は、上述したように限定されるものではないがレギンス等の下半身用衣類をクリップ１１０で挟んで吊り下げる。このクリップ付きハンガー１００は、少なくとも左右１個ずつ設けられ（本実施の形態においては左右１個ずつである左側クリップ１１０Ｌと右側クリップ１１０Ｒの合計２個）、衣類を挟持するクリップ１１０と、丸棒等の係止棒に係止される（略逆Ｕ字形状を備えた部分を含んで構成される）吊り下げフック１２０と、左右１個ずつのクリップ１１０が取付けられる左右方向に長い棒状物であって、左右方向の略中央で吊り下げフック１２０が連結され、略中央よりも左右側に少なくとも（本実施の形態においては左右それぞれ）１個ずつクリップ１１０が設けられた（クリップ１１０と吊り下げフック１２０とを連結する連結部ともいえる）本体部１３０とを含む。なお、左側クリップ１１０Ｌと右側クリップ１１０Ｒとは同じ構成を備えるために、クリップ１１０として説明する場合がある。
【００１７】
なお、本実施の形態に係るクリップ付きハンガー１００においては、限定されるものではないが、本体部１３０と挟持片（表側挟持片１１２および裏側挟持片１１４）とは一体的に樹脂成形されている。このように一体的に樹脂成形されているものの、後述するように、支点１１３を回動中心として表側挟持片１１２は（本体部１３０に連接されて回動しない裏側挟持片１１４の直線部１１４Ｓに対して）矢示Ｒ方向に回動自在に構成されて表側挟持片１１２と裏側挟持片１１４とが接近可能および離隔可能に、かつ、裏側挟持片１１４において返し部１１４Ｋが折り返し点１１４Ｅを揺動中心としてその直線部１１４Ｓに対して矢示Ｓ方向に揺動自在に、それぞれ構成されている。なお、本実施の形態に係るクリップ付きハンガー１００においては、上述したように本体部１３０および挟持片（表側挟持片１１２および裏側挟持片１１４）とは一体的に樹脂成形されていることに加えて、保持部材１１６も（本体部１３０および挟持片（表側挟持片１１２および裏側挟持片１１４とは別部材であるが）樹脂成形されている。このような樹脂成形品は、一般的に弾性を備えており弾性変形するために、多少の変形（たとえば上述した回動および揺動に伴う変形、遷移状態において保持部材１１６の開放側が開くように変形）では、破断することも破壊することもなく、変形させている力が作用しなくなると元の形状に戻る。
【００１８】
そして、このクリップ１１０は、一端（ここでは後述する支点１１３）が本体部１３０と連結されて、一端を支点１１３として一端とは逆側の他端が互いに接近および離隔することができるように（接近可能および離隔可能に）形成された（ここでは支点１１３を回動中心として矢示Ｒ方向に表側挟持片１１２が回動することにより接近および離隔することができるように（接近可能および離隔可能に）形成された）表側挟持片１１２および裏側挟持片１１４と、表側挟持片１１２と裏側挟持片１１４とが衣類を挟持した状態を保持する保持部材１１６とを含む。さらに、表側挟持片１１２および裏側挟持片１１４の少なくともいずれかの挟持片（ここでは限定されるものではないが裏側挟持片１１４のみ）における衣類に接する側に向かう、裏側挟持片１１４における（より詳しくは直線部１１４Ｓの）他端（支点１１３の逆側の端部）から連接された返し部１１４Ｋを備える。
【００１９】
また、好ましくは、この返し部１１４Ｋは、途中に屈曲部１１４Ｄを備え、返し部１１４Ｋは、直線部１１４Ｓから図２（Ａ）に示す矢示Ｓ方向に揺動自在に連接された第１返し部１１４Ｋ１と、屈曲部１１４Ｄで図示する方向（表側挟持片１１２の方向）に（折り）曲げられた第２返し部１１４Ｋ２とで構成されている。ここに示す「（折り）曲げられた」とは、揺動しないで、単に「（折り）曲げられてその（折り）曲がり角度は変化しない」という意味である。このような形状および素材（一例として合成樹脂）が備える弾性により、この返し部１１４Ｋがバネのように作用する。
【００２０】
また、好ましくは、この返し部１１４Ｋは、端部１１４Ａ（より詳しくは第２返し部１１４Ｋ２の端部）が波線状に破断されている。
また、好ましくは、表側挟持片１１２および裏側挟持片１１４のいずれかの挟持片（ここでは限定されるものではないが表側挟持片１１２のみ）における衣類に接する面に、水平方向に沿って複数の凸状の線状体１１２Ａが設けられている。
【００２１】
また、好ましくは、クリップ１１０を構成する保持部材１１６は、図示するように２個の挟持片（表側挟持片１１２および裏側挟持片１１４）が互いに接近したクリップ挟持状態（各図（Ｃ）に示す状態）において２個の挟持片を挟み込む（図２に示す側面視で）略逆Ｕ字形状を備え、略逆Ｕ字形状の端部に係合突起１１６Ｃが設けられるとともに、挟持片（ここでは表側挟持片１１２）の衣類の接する面とは逆面に、クリップ挟持状態（各図（Ｃ）に示す状態）においてこの係合突起１１６Ｃが係合する係合溝１１２Ｃを備える。
【００２２】
概略的にはこのような特徴を備えた本実施の形態に係るクリップ付きハンガー１００について（主としてクリップ１１０について）さらに詳しく説明する。
各図（図１〜図４、以下繰り返してかっこ書きを記載しない場合がある）に示すように、このクリップ付きハンガー１００は、各図（Ａ）に示すクリップ１１０が衣類を挟持していない衣類非挟持状態から、各図（Ｂ）に示す遷移状態を経て、各図（Ｃ）に示すクリップ１１０が衣類を挟持している衣類挟持状態へ、保持部材１１６を図２（Ａ）に示す矢示ＨにおけるＨ（１）側の位置からＨ（２）側の位置へ手で移動させることにより状態が変化する。なお、大部分の図においてこのクリップ付きハンガー１００により挟んで吊り下げられる衣類は図示しておらず、図２（Ａ）および図３（Ａ）において衣類が存在する想定領域を一点鎖線で示している。
【００２３】
上述したように、クリップ１１０は、表側挟持片１１２および裏側挟持片１１４と保持部材１１６とを含んで構成されている。各図（Ａ）に示す非挟持状態は、矢示Ｈ方向（上下方向）に移動可能に構成された保持部材１１６が矢示ＨにおけるＨ（１）側の位置にあって、支点１１３を回動中心として矢示Ｒ方向に回動可能に構成された表側挟持片１１２が矢示ＲにおけるＲ（１）側の位置にあって、折り返し点１１４Ｅを揺動中心として矢示Ｓ方向に揺動可能に構成された裏側挟持片１１４の返し部１１４Ｋが矢示ＳにおけるＳ（１）側の位置にある。
【００２４】
この非挟持状態から、挟持して吊り下げる対象の衣類を一点鎖線で示す領域にセットして、保持部材１１６を矢示Ｈ方向におけるＨ（１）側の位置からＨ（２）側の位置へ移動させる。このとき、保持部材１１６の表側挟持片１１２側に設けられた滑り止め用の凹凸部１１６Ａを指先で下側へ押すことにより保持部材１１６の移動が容易になる。また、保持部材１１６が表側挟持片１１２の表側ガイド１１２Ｂおよび裏側挟持片１１４の裏側ガイド１１４Ｂに沿って移動することにより保持部材１１６の移動が容易になる。さらに、保持部材１１６の裏側開放端には突起１１６Ｂが備えられ、かつ、その突起１１６Ｂは裏側挟持片１１４（より詳しくは直線部１１４Ｓ）の支点１１３側に設けられたストッパー１１４Ｃを越えて矢示ＨにおけるＨ（１）側の方向（上方向）には移動できないために、保持部材１１６が挟持片（この挟持片とは表側挟持片１１２および裏側挟持片１１４であるがより詳しくは裏側挟持片１１４）から抜け落ちることはない。
【００２５】
このように保持部材１１６を矢示Ｈ方向におけるＨ（１）側の位置からＨ（２）側の位置へ移動させると、各図（Ｂ）に示す遷移状態である、矢示Ｈ方向（上下方向）に移動可能に構成された保持部材１１６が矢示ＨにおけるＨ（１）側の位置とＨ（２）側の位置との間の位置（途中位置）にあって、支点１１３を回動中心として矢示Ｒ方向に回動可能に構成された表側挟持片１１２が矢示ＲにおけるＲ（１）側の位置とＲ（２）側の位置との間の位置（途中位置）にあって、折り返し点１１４Ｅを揺動中心として矢示Ｓ方向に揺動可能に構成された裏側挟持片１１４の返し部１１４Ｋが矢示ＳにおけるＳ（１）側の位置とＳ（２）側の位置との間の位置（途中位置）にある。
【００２６】
さらに、この保持部材１１６を矢示Ｈ方向におけるＨ（１）側の位置からＨ（２）側の位置へ移動させると、各図（Ｃ）に示す挟持状態である、矢示Ｈ方向（上下方向）に移動可能に構成された保持部材１１６が矢示ＨにおけるＨ（２）側の位置にあって、支点１１３を回動中心として矢示Ｒ方向に回動可能に構成された表側挟持片１１２が矢示ＲにおけるＲ（２）側の位置にあって、折り返し点１１４Ｅを揺動中心として矢示Ｓ方向に揺動可能に構成された裏側挟持片１１４の返し部１１４Ｋが矢示ＳにおけるＳ（２）側の位置にある。この挟持状態においては、保持部材１１６がその略逆Ｕ字形状の端部に備える係合突起１１６Ｃが図２（Ｄ）に示すように、表側挟持片１１２の衣類の接する面とは逆面に備える係合溝１１２Ｃに係合して、挟持状態を強固に保持する。なお、図２（Ｄ）は図２（Ｃ）に示す領域２Ｄの拡大図である。ここで、図２に示すように、この係合溝１１２Ｃは、表側挟持片１１２は曲げ位置１１２Ｄで裏側挟持片１１４側に曲げられて形成された平面部１１２Ｅに設けられている。
【００２７】
さらに、この表側挟持片１１２がこのように曲げ位置１１２Ｄで曲げられて形成された平面部１１２Ｅに係合溝１１２Ｃが設けられていることに対応して、側面視で略逆Ｕ字形状を備えた保持部材１１６においてその先端に係合突起１１６Ｃがある根元側が鉤状部１１６Ｄに形成されるとともに、遷移状態から挟持状態へ移行するときにおいてその鉤状部１１６Ｄが曲げ位置１１２Ｄを越えるまで保持部材１１６が矢示Ｈ方向におけるＨ（２）側の位置まで押し下げられて、係合突起１１６Ｃが係合溝１１２Ｃに係合する。このとき、遷移状態において弾性変形して開いていた保持部材１１６の開放側が閉じる方向に平面部１１２Ｅが傾斜しているために、遷移状態の保持部材１１６を挟持状態へ移行させやすい。このため、保持部材１１６を遷移状態から挟持状態へ移行させる際に、曲げ位置１１２Ｄから平面部１１２Ｅに鉤状部１１６Ｄが移行しやすくその逆は移行しにくく（挟持状態へ移行しやすく非挟持状態へ移行しにくく）、かつ、挟持状態を強固に保持することができる。
【００２８】
このようにして非挟持状態から遷移状態を経て挟持状態へ移行した後の各図（Ｃ）に示す挟持状態においては、このクリップ付きハンガー１００のクリップ１１０により挟持された衣類は、以下の特徴を備えて挟持されている。
（１）クリップ１１０の表側挟持片１１２と裏側挟持片１１４とにより衣類が挟み込まれて挟持されている。
（２）クリップ１１０の裏側挟持片１１４に設けられた返し部１１４Ｋに衣類が当接して挟持され、特に返し部１１４Ｋの屈曲部１１４Ｄで曲げられた第２返し部１１４Ｋ２が（形状および素材（一例として合成樹脂）が備える弾性により）バネのように作用して衣類が挟持されるために、衣類が少し揺れたぐらいでは滑り落ちたりずれ落ちたりしないように挟持されている。
（３）クリップ１１０の表側挟持片１１２に設けられた凸状の線状体１１２Ａにより衣類が滑り落ちたりずれ落ちたりしないように挟持されている。
（４）保持部材１１６が備える係合突起１１６Ｃが、表側挟持片１１２が備える係合溝１１２Ｃに係合することにより、挟持状態が強固に保持されて衣類が挟持されている。
（５）保持部材１１６の鉤状部１１６Ｄと表側挟持片１１２の曲げ位置１１２Ｄとの形状により、平面部１１２Ｅから曲げ位置１１２Ｄ側へ鉤状部１１６Ｄが移動しにくいことにより、挟持状態が強固に保持されて衣類が挟持されている。
【００２９】
また、非挟持状態または遷移状態から挟持状態へ移行するときには、以下の特徴を備えて移行される。
（６）裏側挟持片１１４の返し部１１４Ｋが、折り返し点１１４Ｅを揺動中心として非挟持状態から遷移状態を経て挟持状態に至るまで継続して矢示Ｓ方向のＳ１（１）側の位置からＳ（２）側の位置へ揺動して、屈曲部１１４Ｄで折り曲げられた返し部１１４の第２返し部１１４Ｋ２の端部が衣類を挟んで表側挟持片１１２に当接し続けるために、衣類を挟持し続けながら非挟持状態または遷移状態から挟持状態へ移行される。
（７）上記（５）とは逆に、保持部材１１６の鉤状部１１６Ｄと表側挟持片１１２の曲げ位置１１２Ｄとの形状により、曲げ位置１１２Ｄから平面部１１２Ｅ側へ鉤状部１１６Ｄが移動しやすいことにより、非挟持状態または遷移状態から挟持状態へ移行させやすい。
（８）保持部材１１６の表側挟持片１１２側に設けられた滑り止め用の凹凸部１１６Ａを指先で押し下げることにより保持部材１１６を非挟持状態または遷移状態から挟持状態へ移行させやすい。
【００３０】
さらに、挟持状態から遷移状態または非挟持状態へ移行させるときには、以下の特徴を備えて移行される。
（９）上記（５）の反面、保持部材１１６の突起１１６Ｂを指先で押し上げやすいために、挟持状態から遷移状態または非挟持状態へ移行させやすい。さらに、これ以外の方法による挟持状態から遷移状態または非挟持状態へ移行は難しい点で好ましい。
（１０）裏側挟持片１１４が備えるストッパー１１４Ｃを保持部材１１６が備える突起１１６Ｂを越えることができないために挟持片（この挟持片とは表側挟持片１１２および裏側挟持片１１４であるがより詳しくは裏側挟持片１１４）から抜け落ちることがない。
【００３１】
以上のようにして、本実施の形態に係るクリップ付きハンガー１００によると、レギンス等の下半身用衣類であって比較的表面が滑りやすい（ツルツルしている）衣類および／または比較的重量がある衣類であっても、クリップで非挟持状態から挟持状態へ容易に移行させること（挟み込むこと）ができるとともに、挟持状態を強固に保持できるために、クリップから滑り落ちてしまう可能性を低減することができる。
【００３２】
なお、今回開示された実施の形態はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【００３３】
本考案は、衣類をクリップで挟んで吊り下げるクリップ付きハンガーに好ましく、レギンス等の下半身用衣類であって比較的表面が滑りやすい（ツルツルしている）衣類および／または比較的重量がある衣類であってもクリップから滑り落ちてしまう可能性を低減することができる点で特に好ましい。
【符号の説明】
【００３４】
１００  クリップ付きハンガー
１１０  クリップ
１１２  表側挟持片
１１４  裏側挟持片
１１６  保持部材
１２０  吊り下げフック
１３０  本体部
【図１】
0003234712.tif 000003
【図２】
0003234712.tif 000004
【図３】
0003234712.tif 000005
【図４】
0003234712.tif 000006